(57)【要約】【課題】導電端子を絶縁台に安定して固定し、且つ構造が簡単で組み立てしやすい組立式ヒューズを提供する。      【解決手段】組立式ヒューズは、絶縁台及び絶縁台内に設置する導電端子を含み、絶縁台は一体成型し、それには溝槽及び溝槽に連通する二ピットを備える。導電端子は溝槽内に納置し、それには二導電片及び二導電片を連接する可溶体を備える。各導電片の一端には二股式固定部を成形し、二股式固定部はピット内に挿入して固定し、最後に二股式固定部を押圧し、絶縁台の表面にプレスする。【選択図】図７
0003164185.tif 000002
【実用新案登録請求の範囲】
【請求項１】
組立式ヒューズにおいて、
一体成形で、溝槽及び該溝槽に連通する二ピットを備える絶縁台と、
該溝槽内に納置し、二導電片及び連接該二導電片に連接する可溶体を備え、各該導電片の一端は二股式固定部を成形して該二股式固定部を係穿接固定在該ピット内に挿入して固定する導電端子を含むことを特徴とする組立式ヒューズ。
【請求項２】
前記絶縁台は、Ｔ字型であることを特徴とする請求項１記載の組立式ヒューズ。
【請求項３】
前記絶縁台は、該溝槽内に凸塊が伸び、各該導電片には定位槽が対応して設置され、該凸塊は該定位槽内で支持することを特徴とする請求項１記載の組立式ヒューズ。
【請求項４】
前記溝槽は、該二ピットに平行で、該絶縁台を横方向に貫くことを特徴とする請求項１記載の組立式ヒューズ。
【請求項５】
前記二導電片は、それぞれ複数の穿孔を設置し、該絶縁台は、プレス式で複数の穿孔に相対する箇所に複数の凸塊を内向きに伸ばし、これらの凸塊は、それぞれ複数の穿孔内に嵌合して固定することを特徴とする請求項１記載の組立式ヒューズ。
【請求項６】
前記可溶体はＵ字型であることを特徴とする請求項１記載の組立式ヒューズ。
【請求項７】
前記二股式固定部は、一側辺に欠切槽を設置し、該欠切槽は該ピットの内底面を押さえ、該二股式固定部を該ピット内に定位することを特徴とする請求項１記載の組立式ヒューズ。
【請求項８】
前記二股式固定部は、押圧方式によって外向きに開き、該ピット内出しっかりと固定することを特徴とする請求項１記載の組立式ヒューズ。
【考案の詳細な説明】
【技術分野】
【０００１】
本考案は、ヒューズに関するもので、特に組立式ヒューズに係わる。
【背景技術】
【０００２】
ヒューズは、超過電流保護装置で、電気製品が故障、回路異常が発生した場合、電流が瞬間的に上がり、通過した電流が、ヒューズの負荷できる極限を超えると、ヒューズの可溶体が溶けて切れ、荷重の電流が電子既製品内部の電子部品を通過して壊れてしまうのを防止する。そのため、ヒューズには電気製品保護及び回路点検の機能を備える。
【０００３】
公知の組立式ヒューズは、導電端子及び二筐片を含み、それらを組み立てる時、該二筐片には該導電片体を差し込み、相互に合わせ、該導電片体をその内部に固定する（例として特許文献１参照）。
【先行技術文献】
【特許文献】
【０００４】
【特許文献１】米国  特許公告第ＵＳ ６,３５９,５４３号
【考案の概要】
【考案が解決しようとする課題】
【０００５】
解決しようとする問題点は、上記の方式で組み立てるヒューズに於いては、該二筐片が緩んだり分離したりしやすく、該導電片体の位置が偏ってしまい、正常使用に影響を与える。更に、該二筐片は、異なる二個の金型から製造されているため、金型のコストが高くなるだけでなく、組立に時間がかかり、該ヒューズの製造コストが上がってしまう点である。そのため、本考案者は研究を重ねて上述の問題を改善する本考案を提案する。
【課題を解決するための手段】
【０００６】
本考案は、絶縁台及び絶縁台内に設置する導電端子を含み、絶縁台は一体成型し、それには溝槽及び溝槽に連通する二ピットを備える。導電端子は溝槽内に納置し、それには二導電片及び二導電片を連接する可溶体を備える。各導電片の一端には二股式固定部を成形し、二股式固定部はピット内に挿入して固定し、最後に、二股式固定部を押圧し、絶縁台の表面にプレスすることを最も主要な特徴とする。
本考案は下記の特徴を有する。
（１）組立式ヒューズにおいて、
一体成形で、溝槽及び該溝槽に連通する二ピットを備える絶縁台と、
該溝槽内に納置し、二導電片及び連接該二導電片に連接する可溶体を備え、各該導電片の一端は二股式固定部を成形して該二股式固定部を係穿接固定在該ピット内に挿入して固定する導電端子を含むことを特徴とする組立式ヒューズ。
（２）前記絶縁台は、Ｔ字型であることを特徴とする（１）記載の組立式ヒューズ。
（３）前記絶縁台は、該溝槽内に凸塊が伸び、各該導電片には定位槽が対応して設置され、該凸塊は該定位槽内で支持することを特徴とする（１）記載の組立式ヒューズ。
（４）前記溝槽は、該二ピットに平行で、該絶縁台を横方向に貫くことを特徴とする（１）記載の組立式ヒューズ。
（５）前記二導電片は、それぞれ複数の穿孔を設置し、該絶縁台は、プレス式で複数の穿孔に相対する箇所に複数の凸塊を内向きに伸ばし、これらの凸塊は、それぞれ複数の穿孔内に嵌合して固定することを特徴とする（１）記載の組立式ヒューズ。
（６）前記可溶体はＵ字型であることを特徴とする（１）記載の組立式ヒューズ。
（７）前記二股式固定部は、一側辺に欠切槽を設置し、該欠切槽は該ピットの内底面を押さえ、該二股式固定部を該ピット内に定位することを特徴とする（１）記載の組立式ヒューズ。
（８）前記二股式固定部は、押圧方式によって外向きに開き、該ピット内出しっかりと固定することを特徴とする（１）記載の組立式ヒューズ。
【考案の効果】
【０００７】
本考案の組立式ヒューズは、導電端子を絶縁台に安定して固定し、且つ構造が簡単で組み立てしやすいという利点がある。
【図面の簡単な説明】
【０００８】
【図１】本考案の組立式ヒューズの立体組立指示図である。
【図２】本考案の組立式ヒューズの平面断面図である。
【図３】本考案の二股式固定部の押圧指示図である。
【図４】本考案の二股式固定部が開いた状態の指示図である。
【図５】本考案の組立式ヒューズのプレス指示図である。
【図６】本考案の組立式ヒューズのプレス後の指示図である。
【図７】本考案の組立式ヒューズの立体外観指示図である。
【考案を実施するための形態】
【０００９】
構造が簡単で組み立てしやすく、拠って製造コストを下げる組立式ヒューズを提供することを本考案の目的とする。
【００１０】
導電端子が絶縁台にしっかりと固定されるため、製品の不良品率を下げる組立式ヒューズを提供することを本考案の目的とする。
【００１１】
上述の目的を達成するため、本考案の組立式ヒューズは、絶縁台及び導電端子を含む。絶縁台は一体成型で、絶縁台は溝槽及び溝槽に連通する二個のピットを備え、導電端子は溝槽内に納置する。導電端子は二導電片及び連接二導電片に連接する可溶体を備え、各導電片の一端は二股式固定部が成形され、二股式固定部はピット内に挿入して固定する。
【００１２】
公知と比較して、本考案の組立式ヒューズは、絶縁台が一体構造であるため、緩んだり分離したりしない。更に一組の金型だけで済むため金型費用を下げる。また、導電片の一端は二股式固定部が成形され、二股を押して固定することで、外向きに開いてピットを固定し、導電端子を絶縁台内にしっかりと固定結合し、簡単な組立方式に拠って、組立時間が削減され、ヒューズの良品率を上げるだけでなく、製造コストを下げ、本考案の実用性を高める。
【実施例】
【００１３】
本考案の詳細説明及び技術内容を図式と共に下述に示す。しかしながら、図式は説明の為の参考に過ぎず、本考案を制限するものではない。
【００１４】
図１及び図２は、それぞれ本考案の組立式ヒューズの立体組立指示図及びその平面断面図である。本考案の組立式ヒューズ１は、絶縁台１０及び導電端子２０を含む。
【００１５】
該絶縁台１０は、一体成型で、Ｔ字型の台体である。該絶縁台１０は溝槽１１及び該溝槽１１に通じる二ピット１２を備え、該絶縁台１０は該溝槽１１内に停止塊１３が伸びる。該二ピット１２は該絶縁台１０の最上面に直線に排列して設置し、該溝槽１１は該二ピット１２に平行で、該二ピット１２の内側に位置し、且つ該絶縁台１０を横向きに貫通する。
【００１６】
該導電端子２０は、導電する金属板体で、該絶縁台１０の底面から差し込んで該溝槽１１内に納置する。該導電端子２０は二導電片２１及び該二導電片２１を連接する可溶体２２を備え、各該導電片２１には複数の穿孔２１０を設置し、且つ一端には二股式固定部２１１を成形し、該二股式固定部２１１はやや弾性を備えるため、挿し込む過程で僅かに内向きに変形し、該ピット１２内で現状に回復して固定する。この他、該導電片２１は、一側辺に欠切槽２１２を設置し、且つ該導電片２１は該絶縁台１０の停止塊１３に対応する定位槽２１３を設置する。本実施例に於いて、該可溶体２２はＵ字型であるが、実際の実施時にはその他の形状でもよい。
【００１７】
図３及び図４は、本考案の二股式固定部の押圧指示図及び二股が開いた後の指示図である。該導電端子２０を該絶縁台１０の溝槽１１内に差し込むと、該絶縁台１０の停止塊１３は該導電片２１の定位槽２１３内で支持する。更に該導電片２１の欠切槽２１２は該ピットの内底面に当てて、該二股式固定部２１１が該ピット１２から出てしまうのを防止して該二股式固定部２１１を該ピット１２内に固定する。次に治具(図未提示)で該二個の二股式固定部２１１を押圧し、二個の該二股式固定部２１１を押圧することで二股式固定部２１１’が外側に開き、該ピット１２で固定する。
【００１８】
図５及び図６は、本考案の二股式固定部のプレス指示図及び開いた状態の指示図である。最後に、該絶縁台１０の表面、該導電端子２０に相対するそれらの穿孔２１０箇所をプレスし、該絶縁台１０のそれら穿孔２１０に対応する箇所には、それぞれ複数の凸塊１４が伸び、また該絶縁台１０の表面には複数の窪み１５が成形され、これら凸塊は、それぞれ該等穿孔２１０内に嵌合されて，該導電端子２０を絶縁台１０内で更に安定して固定させる。
【００１９】
請參照図７は、本考案の組立式ヒューズの立体外観指示図である。上述の方式によって、本考案の組立式ヒューズ１の組立が完成する。
【００２０】
以上は、本考案の良好な実施例であり、本考案の請求範囲を制限するものではない。その他の本考案の精神と同等の効果を備えるものは、すべて本考案の請求範囲に含まれる。
【符号の説明】
【００２１】
１        組立式ヒューズ
１０        絶縁台
１１        溝槽
１２        ピット
１３        停止塊
１４        凸塊
１５        窪み
２０        導電端子
２１        導電片
２１０        穿孔
２１１        二股式固定部
２１１’        二股式固定部
２１２        欠切槽
２１３        定位槽
【図１】
0003164185.tif 000003
【図２】
0003164185.tif 000004
【図３】
0003164185.tif 000005
【図４】
0003164185.tif 000006
【図５】
0003164185.tif 000007
【図６】
0003164185.tif 000008
【図７】
0003164185.tif 000009